(57)【要約】      （修正有）【課題】乗場三方枠の縦枠内の機器類の点検を容易に行うことができるエレベータの乗場三方枠装置を得る。【解決手段】エレベータの乗場に設けられ、乗場出入口の両側に立設された縦枠３と、乗場出入口の上方に、縦枠の上端部間に渡って設けられた上枠４とを備えたものにおいて、乗場固定体に設けられ、上下方向に回動軸を有する回動支持体９と、回動支持体によって乗場固定体に対して回動自在に設けられ、乗場の乗降通路の側壁を形成する側壁パネル１０とを有することによって、側壁パネルの乗場側端部が乗降通路側に移動した際に、縦枠の乗場側に上下に渡って開口部が形成されるように構成する。【選択図】図３
2007119182.tif 000002
【特許請求の範囲】
【請求項１】
エレベータの乗場に設けられ、乗場出入口の両側に立設された縦枠と、
前記乗場出入口の上方に、前記縦枠の上端部間に渡って設けられた上枠と、
を備え、
前記縦枠は、
乗場固定体に設けられ、上下方向に回動軸を有する回動支持体と、
前記回動支持体によって前記乗場固定体に対して回動自在に設けられ、前記乗場の乗降通路の側壁を形成する側壁パネルと、
を有し、
前記側壁パネルの乗場側端部が前記乗降通路側に移動することによって、前記縦枠の乗場側に上下に渡って開口部が形成されることを特徴とするエレベータの乗場三方枠装置。
【請求項２】
縦枠に、エレベータのかごの到着を報知する位置表示器と、乗場呼びを登録する乗場釦とが設けられたことを特徴とする請求項１に記載のエレベータの乗場三方枠装置。
【請求項３】
側壁パネルの回動を規制するロック装置が備えられ、前記ロック装置が解除されることによりエレベータの運転が保守運転に切り換わることを特徴とする請求項１又は請求項２に記載のエレベータの乗場三方枠装置。
【請求項４】
縦枠に隣接してショーウィンド部が設けられ、前記縦枠内に前記ショーウィンド部内に通じる開口部が形成されたことを特徴とする請求項１から請求項３の何れかに記載のエレベータの乗場三方枠装置。
【発明の詳細な説明】
【技術分野】
【０００１】
この発明は、エレベータの乗場に設けられて乗場出入口を形成する乗場三方枠装置に関するものである。
【背景技術】
【０００２】
エレベータの乗場に設けられて乗場出入口を形成する従来の乗場三方枠装置には、乗場三方枠の縦枠の一部に開閉自在に扉を設けることにより、縦枠内に設置された制御装置等の操作点検を可能にしたものがある。また、縦枠の一部に扉を備えた乗場三方枠装置の従来技術として、上記扉をバネ機構の駆動を受けて自閉可能に構成することにより、乗場と乗場三方枠の戸袋内との間を遮断可能にして、防火上の対策を施したものも提案されている。（例えば、特許文献１参照）。
【０００３】
【特許文献１】特開２００２−１６０８７９号公報
【発明の開示】
【発明が解決しようとする課題】
【０００４】
特許文献１記載の乗場三方枠装置では、縦枠に設けられた扉によって縦枠の一部が開閉自在に構成されただけであるため、縦枠内の機器類の部分的な点検作業しか行うことができなかった。また、乗場出入口の上方に設けられた乗場三方枠の幕板を取り替えるには、従来通り昇降路内部に保守作業員が入って作業を行わなければならず、作業性が悪いという問題も生じていた。なお、保守作業員が昇降路内部に立ち入る際には、保守作業員の安全確保のためにエレベータを停止させなければならず、作業に時間と手間を要するといった問題も生じていた。
【０００５】
この発明は、上述のような課題を解決するためになされたもので、その目的は、乗場三方枠の縦枠内の機器類の点検を容易に行うことができるエレベータの乗場三方枠装置を提供することである。
【課題を解決するための手段】
【０００６】
この発明に係るエレベータの乗場三方枠装置は、エレベータの乗場に設けられ、乗場出入口の両側に立設された縦枠と、乗場出入口の上方に、縦枠の上端部間に渡って設けられた上枠とを備え、縦枠は、乗場固定体に設けられ、上下方向に回動軸を有する回動支持体と、回動支持体によって乗場固定体に対して回動自在に設けられ、乗場の乗降通路の側壁を形成する側壁パネルとを有し、側壁パネルの乗場側端部が乗降通路側に移動することによって、縦枠の乗場側に上下に渡って開口部が形成されるものである。
【発明の効果】
【０００７】
この発明は、エレベータの乗場に設けられ、乗場出入口の両側に立設された縦枠と、乗場出入口の上方に、縦枠の上端部間に渡って設けられた上枠とを備え、縦枠は、乗場固定体に設けられ、上下方向に回動軸を有する回動支持体と、回動支持体によって乗場固定体に対して回動自在に設けられ、乗場の乗降通路の側壁を形成する側壁パネルとを有し、側壁パネルの乗場側端部が乗降通路側に移動することによって、縦枠の乗場側に上下に渡って開口部が形成される構成としたことで、乗場三方枠の縦枠内の機器類の点検を容易に行うことができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータの乗場三方枠装置の正面図、図２は図１に示すエレベータの乗場三方枠装置のＡ−Ａ断面図である。図１において、１はエレベータの乗場に立設されて、乗場の床面２とともに乗場出入口を形成する乗場三方枠であり、乗場出入口の両側に立設された２つの縦枠３と、この縦枠３の各上端部間に渡って設けられ、乗場出入口の上方に配置された幕板付きの上枠４とから構成されている。また、５は乗場三方枠１の縦枠３に設けられ、乗場にいるエレベータ利用者に対してかごの到着を報知する位置表示器、６は乗場三方枠１の縦枠３に設けられ、利用者が乗場呼びを登録する乗場釦、７は乗場出入口を開閉する乗場の戸を示している。
【００１０】
また、上記乗場三方枠１の縦枠３は、乗場の利用者から見えない位置に立設された縦枠固定用の通し柱８（乗場固定体）に固定されている。なお、上記縦柱３は、一端部が通し柱８の側面に設けられたＬ字状を呈する支持金９と、横断面が略コ字状を呈して、その一部が乗場の乗降通路の側壁、及び、位置表示器５や乗場釦６等が配置された縦枠３の乗場側側面を形成する側壁パネル１０と、支持金９の他端部、及び、側壁パネル１０の内側面の間に設けられるとともに、上下方向に回動軸を有して、側壁パネル１０を通し柱８に対して回動自在に支持するヒンジ１１と、一端部が通し柱８に設けられるとともに、その他端部に側壁パネル１０の乗場側側面の端部がロック装置１２を介して固定され、支持金９及び側壁パネル１０とともに縦枠３の内部空間を形成する固定パネル１３とから構成されている。
【００１１】
ここで、上記縦枠３の内部には、位置表示器５を点灯させるランプ１４が、略Ｌ字状を呈する取付金１５を介して側壁パネル１０の内側面に設けられ、このランプ１４の点灯制御や乗場釦６の制御等を行う制御基盤１６が固定パネル１３に設けられている。また、上記ロック装置１２は、固定パネル１３に設けられて、係合孔を有する略Ｌ字状の係合板１７と、側壁パネル１０の乗場側側面の端部に設けられ、乗場側からの操作によって係合板１７の係合孔に係合する鍵部１８とから構成されている。
【００１２】
次に、上記構成を有する乗場三方枠装置を保守作業する際の動作について説明する。
図３は、保守作業時における図１のＡ−Ａ断面図である。保守作業時、エレベータの保守作業員は、エレベータの乗場において側壁パネル１０の回動を規制するロック装置１２を解除し、側壁パネル１０の乗場側側面の端部を固定パネル１３から外す。次に、側壁パネル１０の乗場側端部をヒンジ１１を中心にして乗降通路側に回転させ、縦枠３の乗場側を開口させる。ここで、側壁パネル１０は、その全体がヒンジ６によって回動自在に設けられており、側壁パネル１０を乗降通路側に移動させることによって、縦枠３の乗場側に上下に渡って開口部が形成される。なお、図３は、側壁パネル１０の乗場側端部が乗降通路側に回転されて、縦枠３の上下に渡って上記開口部が形成された状態を示したものである。そして、保守作業員は、縦枠３に形成された開口部から、縦枠３内部に設置されたランプ１４の取替や制御基盤１６の保守点検等を実施する。
【００１３】
かかる構成を有することにより、縦枠３の上下に渡って開口部を大きく形成することができるため、縦枠３内に設置された機器類の保守点検を、保守作業員が昇降路内に移動しなくても乗場側からの作業によって容易に実施することが可能となる。また、縦枠３内において制御基盤１６や他の機器類のレイアウトの自由度が増し、保守作業性を考慮した配置が可能となる。
【００１４】
また、縦枠３の上下に渡って開口部を大きく形成することができることから、位置表示器５や乗場釦６等の乗場に必要な機器類を縦柱３に設置し、さらに、ランプ１４や制御基盤１６等の電気機器を全て縦枠内に配置することが可能となる。かかる構成を有することにより、縦枠３に隣接する建築物に機器類を設置することが不要となり、また、エレベータ装置の専有スペースも縮小させることが可能となる。
【００１５】
なお、エレベータの保守作業員がロック機構１２を解除した際に、エレベータの運転が、通常運転から保守運転に切り換わるように構成しても良い。かかる構成を有することにより、側壁パネル１０を回転させた時に建築物と縦枠３との間に隙間ができるような場合でも、安全に配慮した対応が可能となる。
【００１６】
また、図示されていないが、乗場三方枠１の上枠４は、側壁パネル１０の乗場側をヒンジ６を中心にして乗降通路側に回転させることにより、その両端部が、縦枠３の内部空間から取り付け及び取り外しが可能に設けられている。このため、エレベータ保守作業員は、昇降路内に移動しなくても乗場側からの作業によって上枠４の交換が可能となり、上枠４のリフォームにも容易に対応することが可能となる。
【００１７】
実施の形態２．
図４はこの発明の実施の形態２におけるエレベータの乗場三方枠装置の正面図、図５は図４に示すエレベータの乗場三方枠装置のＢ−Ｂ断面図である。図４及び図５において、１９は乗場三方枠１の縦枠３に隣接して建築物に設けられたショーウィンド部である。このショーウィンド部１９は、内部の展示物２０の前面に配置された透明板２１と、この透明板２１を支持して、展示物２０を配置する展示空間を形成するとともに、縦枠３の内部に通じる開口部が形成された固定パネル２２と、この固定パネル２２に形成された上記開口部を縦枠３の内部から開閉自在に構成する可動パネル２３と、固定パネル２２及び可動パネル２３間に設けられるとともに、鉛直方向に回動軸を有して、可動パネル２３と固定パネル２２に対して回動自在に支持するヒンジ２４とから構成されている。なお、固定パネル２２に形成される開口部は、固定パネル２２の上下に渡って形成されていても、その一部のみに形成されていても良い。
【００１８】
ここで、上記可動パネル２３は、その一端部が、蝶ボルト２５によって固定パネル２２の裏面に固定されている。また、固定パネル２２の縦枠３側端部には、係合孔を有する係合板２６が設けられており、側壁パネル１０の乗場側側面の端部に設けられた鍵部１８が上記係合孔に係合することにより、側壁パネル１０の乗場側側面の端部が固定パネル２２に固定される。
【００１９】
次に、上記構成を有する乗場三方枠装置を有する乗場において、ショーウィンド部１９における展示物２０の取り替えや展示空間内の清掃等を実施する際の動作について説明する。図６は保守作業時における図４のＢ−Ｂ断面図である。ショーウィンド部１９のディスプレイ変更時等、作業員は、先ず、エレベータの乗場においてロック装置１２を解除し、側壁パネル１０の乗場側側面の端部を固定パネル２２から外す。次に、側壁パネル１０の乗場側端部をヒンジ１１を中心にして乗降通路側に回転させ、縦枠３の乗場側を開口させる。
【００２０】
その後、作業員は、縦枠３の内部に入り、蝶ボルト２５を弛緩して可動パネル２３の一端部を固定パネル２２から外す。そして、可動パネル２３の一端部をヒンジ２４を中心にして回転させ、固定パネル２２の縦枠３側を開口させる。なお、図６は、可動パネル２３の一端部が回転されて、固定パネル２２の縦枠３側に開口部が形成された状態を示したものである。作業員は、上記操作によって固定パネル２２に形成された開口部から、展示物２０の取り替えや蛍光灯の交換、展示空間内の清掃等を実施する。
【００２１】
この発明の実施の形態２によれば、縦枠３の内部にショーウィンド部１９内に通じる開口部が形成されているため、ショーウィンド部１９の展示物２０の取り替え作業等を、作業員が昇降路内に移動しなくても乗場側からの作業によって容易に実施することが可能となる。なお、その他は実施の形態１と同様の構成及び効果を奏する。
【図面の簡単な説明】
【００２２】
【図１】この発明の実施の形態１におけるエレベータの乗場三方枠装置の正面図である。
【図２】図１に示すエレベータの乗場三方枠装置のＡ−Ａ断面図である。
【図３】保守作業時における図１のＡ−Ａ断面図である。
【図４】この発明の実施の形態２におけるエレベータの乗場三方枠装置の正面図である。
【図５】図４に示すエレベータの乗場三方枠装置のＢ−Ｂ断面図である。
【図６】保守作業時における図４のＢ−Ｂ断面図である。
【符号の説明】
【００２３】
１  乗場三方枠
２  乗場の床面
３  縦枠
４  上枠
５  位置表示器
６  乗場釦
７  乗場の戸
８  通し柱
９  支持金
１０  側壁パネル
１１、２４  ヒンジ
１２  ロック装置
１３、２２  固定パネル
１４  ランプ
１５  取付金
１６  制御基盤
１７、２６  係合板
１８  鍵部
１９  ショーウィンド部
２０  展示物
２１  透明板
２３  可動パネル
２５  蝶ボルト
【図１】
2007119182.tif 000003
【図２】
2007119182.tif 000004
【図３】
2007119182.tif 000005
【図４】
2007119182.tif 000006
【図５】
2007119182.tif 000007
【図６】
2007119182.tif 000008